(57)【要約】【課題】この発明は、下段、中段、上段の各梯子からなる三連の梯子において、中段と上段の梯子を二本の操作ロープでそれぞれ個別に伸長操作するように構成した三連伸縮梯子に関する。【解決手段】断面略コ字状の左右一対の梯子支柱とその間に架設した踏桟とよりそれぞれ構成した下段梯子と中段梯子と上段梯子の組合せよりなり、しかも、各段の梯子の梯子支柱は、それぞれスライド自在に構成することにより、中段梯子と上段梯子は下段梯子に対して伸縮可能に構成した三段伸縮梯子において、中段梯子と上段梯子の伸縮操作をそれぞれ行う二本の操作ロープを別体に構成し、しかも、中段梯子昇降用の中段操作ロープは、その両端を下段梯子の所定位置に固定することにより、下段梯子と中段梯子とに跨って掛け渡すと共に、上段梯子昇降用の上段操作ロープは、その両端を上段梯子の所定位置に固定することにより、下段梯子と中段梯子と上段梯子とに跨って掛け渡したことを特徴とする三連伸縮梯子。【選択図】図１
2015227553.tif 000002
【特許請求の範囲】
【請求項１】
断面略コ字状の左右一対の梯子支柱とその間に架設した踏桟とよりそれぞれ構成した下段梯子と中段梯子と上段梯子の組合せよりなり、しかも、各段の梯子の梯子支柱は、それぞれスライド自在に構成することにより、中段梯子と上段梯子は下段梯子に対して伸縮可能に構成した三連伸縮梯子において、中段梯子と上段梯子の伸縮操作をそれぞれ行う二本の操作ロープを別体に構成し、しかも、中段梯子昇降用の中段操作ロープは、その両端を下段梯子の所定位置に固定することにより、下段梯子と中段梯子とに跨って掛け渡すと共に、上段梯子昇降用の上段操作ロープは、その両端を上段梯子の所定位置に固定することにより、下段梯子と中段梯子と上段梯子とに跨って掛け渡したことを特徴とする三連伸縮梯子。
【請求項２】
各段の梯子の梯子支柱はそれぞれ入れ子構造とし、中段操作用ロープと上段操作用ロープは、入れ子構造とした梯子支柱間に形成したロープ空間に収納すると共に、各操作ロープにおいて操作するために把持するロープ部分は、下段梯子の梯子支柱外側面に位置するように操作ロープを掛け渡したことを特徴とする請求項１に記載の三連伸縮梯子。
【請求項３】
別体に構成した上段操作ロープ及び中段操作ロープの両端部は、上段梯子及び中段梯子の所定位置にそれぞれ固定することにより、各操作ロープを所定の各段梯子間に掛け渡すに際し、各操作ロープの各反転位置にはロープ用滑車をそれぞれ配設し、操作ロープ用滑車を介して各操作ロープの掛け渡しを行うように構成したことを特徴とする請求項１又は２に記載の三連伸縮梯子。
【請求項４】
上段操作ロープの両端は、上段梯子の下部にそれぞれ固定すると共に、中段操作ロープの両端は、下段梯子の上部及び下部にそれぞれ固定したことに特徴を有する請求項１乃至３のいずれか１項に記載の三連伸縮梯子。
【発明の詳細な説明】
【技術分野】
【０００１】
この発明は、下段、中段、上段の各梯子からなる三連の梯子において、中段と上段の梯子を二本の操作ロープでそれぞれ個別に伸長操作するように構成した三連伸縮梯子に関する。
【背景技術】
【０００２】
従来、複数段の梯子を伸長して長尺梯子にする伸縮梯子がある。複数段の梯子の伸長動作は、各梯子間にまたがって掛け渡した操作ロープを引張り操作することにより、伸長梯子の下端部を上方に引上げることに行われる構造となっている。
【０００３】
例えば、特許文献１に示すように、中段の可動梯子を伸長させるロープと、可動梯子の摺動に連動して上段の可動梯子を摺動させる調時ロープとを、それぞれベース梯子と可動梯子との間にまたがって掛け渡して構成したものが通常の構造である。
【０００４】
それぞれのロープは、別体として各伸長梯子に対応してそれぞれを操作するように所定の懸架構造としている。
【先行技術文献】
【特許文献】
【０００５】
【特許文献１】特開２０１０−１６３８１７号公報
【発明の概要】
【発明が解決しようとする課題】
【０００６】
ところが、従来の複数段伸縮梯子は、複数本のロープをそれぞれの梯子の間にまたがって掛け渡した構造であるが、ロープが各段の梯子の中央部、すなわち、踏桟の位置に吊下配置されているため、踏桟をつたって乗降作業を行う作業者の脚と干渉して梯子の転倒事故を生起するおそれがあり、また、端部が仮止め固定のため、伸長操作した後に長尺のロープ中途が弛緩して、やはり作業者の脚と干渉するおそれがあり、また、中段の可動梯子を伸長する際には上段の可動梯子の重量もそのまま付加されるため伸長操作に大きな力が必要であり、更には、上段の複数の梯子を伸長する際に、構造上、伸長操作の順番があるため、作業現場の状況に対応して任意の順序で任意の長さだけ上段梯子を伸長することができるような配慮が充分になされていなかった。
【課題を解決するための手段】
【０００７】
この発明は、断面略コ字状の左右一対の梯子支柱とその間に架設した踏桟とよりそれぞれ構成した下段梯子と中段梯子と上段梯子の組合せよりなり、しかも、各段の梯子の梯子支柱は、それぞれスライド自在に構成することにより、中段梯子と上段梯子は下段梯子に対して伸縮可能に構成した三段伸縮梯子において、中段梯子と上段梯子の伸縮操作をそれぞれ行う二本の操作ロープを別体に構成し、しかも、中段梯子昇降用の中段操作ロープは、その両端を下段梯子の所定位置に固定することにより、下段梯子と中段梯子とに跨って掛け渡すと共に、上段梯子昇降用の上段操作ロープは、その両端を上段梯子の所定位置に固定することにより、下段梯子と中段梯子と上段梯子とに跨って掛け渡したことを特徴とする三連伸縮梯子を提供せんとする。
【０００８】
また、各段の梯子の梯子支柱はそれぞれ入れ子構造とし、中段操作用ロープと上段操作用ロープは、入れ子構造とした梯子支柱間に形成したロープ空間に収納すると共に、各操作ロープにおいて操作するために把持するロープ部分は、下段梯子の梯子支柱外側面に位置するように操作ロープを掛け渡したことを特徴とする請求項１に記載の三連伸縮梯子とした。
【０００９】
また、別体に構成した上段操作ロープ及び中段操作ロープの両端部は、上段梯子及び中段梯子の所定位置にそれぞれ固定することにより、各操作ロープを所定の各段梯子間に掛け渡すに際し、各操作ロープの各反転位置にはロープ用滑車をそれぞれ配設し、操作ロープ用滑車を介して各操作ロープの掛け渡しを行うように構成したことを特徴とする請求項１又は２に記載の三連伸縮梯子とした。
【００１０】
また、上段操作ロープの両端は、上段梯子の下部にそれぞれ固定すると共に、中段操作ロープの両端は、下段梯子の上部及び下部にそれぞれ固定したことに特徴を有する請求項１乃至３のいずれか１項に記載の三連伸縮梯子とした。
【発明の効果】
【００１１】
請求項１に係る発明によれば、中段梯子と上段梯子の伸縮作動を行う中段操作ロープと上段操作ロープの二本のロープをそれぞれ別体に構成し、それぞれ異なる操作ロープ用滑車を介して各梯子にまたがって掛け渡して懸架操作できるように構成したので、中段梯子や上段梯子の伸長操作の順番が制限されることなく、また、従来のように一本の操作ロープにより中段及び上段梯子を同時に伸長操作する場合に較べ、操作ロープを無用に長く形成する必要もなく、操作ロープが中途で弛緩することを可及的に防止することができる。
【００１２】
従って、操作ロープが踏桟に絡まるのを防止し、伸長操作時の不用意な絡み事故を防ぎ、また、作業中の作業者の脚に干渉することがないため、ロープが絡んだ作業者の脚が梯子に激突して伸縮梯子の転倒をまねくなどの事故を未然に防止することができる効果がある。
【００１３】
また、中段梯子昇降用の中段操作ロープは、その両端を下段梯子の所定位置に固定することにより、操作ロープ用滑車等を介して下段梯子と中段梯子とに跨って掛け渡すことで、上段梯子を含む中段梯子を伸長させる際でも、上段梯子と中段梯子の総重量の略半分の力で中段梯子を操作することができる。
【００１４】
また、請求項２に係る発明によれば、入れ子構造として梯子支柱間にロープ空間を形成したので、下段梯子の外側で操作するために露出した中途ロープを除いてロープ空間に中段及び上段操作ロープの大部分を収納することができることになり、一部弛緩した操作ロープが梯子の伸長操作に支障とならず、また、ロープ空間に収納されて踏桟に絡まらないので円滑な伸長操作を行うことができ、更には、操作ロープが支柱間に吊下状態でぶら下がることがないので、作業者が脚にロープを絡ませて梯子そのものを転倒させる事故を未然に防止することができる効果がある。
【００１５】
請求項３、４に係る発明によれば、中段及び上段操作ロープの中途を所定位置に配設した滑車に懸架したために、特にロープの折曲部分が滑車によって円滑に摺動できるため、中段梯子や上段梯子の伸長操作が確実に行える効果がある。
【００１６】
請求項４に係る発明によれば、上段操作ロープの両端は上段梯子の下部にそれぞれ固定し、中段操作ロープの両端は下段梯子の上部と下部にそれぞれ固定したので、各ロープの全長は一定長さに規定保持されるため、その中途における緊張作動によって中段梯子や上段梯子の昇降操作を行うことができることになり、無用なロープ弛緩を防止できるため、梯子の伸長操作が確実に行える効果がある。
【図面の簡単な説明】
【００１７】
【図１】本発明三連伸縮梯子の伸長状態を示す説明図
【図２】収納状態の説明図
【図３】収納状態の上部の一部拡大図
【図４】図２Ａ−Ａ線の横断面図
【図５Ａ】中段操作ロープを主体とした中段梯子の伸縮機構の分解図
【図５Ｂ】図５Ａの各要部を拡大した一部省略分解図
【図６Ａ】上段操作ロープを主体とした上段梯子の伸縮機構の分割図
【図６Ｂ】図６Ａの各要部を拡大した一部省略分解図
【図７Ａ】中段の操作ロープの懸架状態を示す摸式説明図
【図７Ｂ】上段の操作ロープの懸架状態を示す摸式説明図
【図８Ａ】滑車が密集する中段梯子右支柱の下端部の部分拡大図
【図８Ｂ】滑車が密集する中段梯子右支柱の下端部の部分拡大図
【図９】上段の操作ロープの懸架状態を示す他の実施例の摸式説明図
【発明を実施するための形態】
【００１８】
この発明の実施例を図面に基づき詳説する。
【００１９】
図１〜図３は、本発明の三連伸縮梯子Ｍを構成する下段梯子２と、中段梯子３と、上段梯子４との組み合わせ状態を示し、図４は図２中のＡ−Ａ線の横断面図を示す。
【００２０】
（１）下段梯子２について
図５Ａに示すように左右に下段梯子支柱５として下段梯子右支柱５Ｒと下段梯子左支柱５Ｌを有し、その間に下段梯子踏桟８を架設して梯子としての機能を果すように構成されている。
【００２１】
また、図５Ｂに示すように下段梯子２の下段梯子左右支柱５Ｌ，５Ｒは、断面略コ字状の対向した形状に構成されており、下段梯子右支柱５Ｒの上部及び下部の支柱側板５’には、下段滑車装着具２４，２５をそれぞれ設けている。
【００２２】
下段滑車装着具２４，２５は、断面略Ｌ字状の装着ブラケット２４’，２５’を突き合わせて、その間にロープ操作用滑車３２−１，２を軸架して構成しており、ロープ操作用滑車３２−１，２は支柱に沿って縦方向に回転すべく、軸架用の軸ｔは装着ブラケットＴに横方向に架設している。
【００２３】
しかも、滑車３２−１，２の位置する支柱側板５’には、滑車の周縁部の一部が下段梯子右支柱５Ｒの内方と露出するようにロープ挿通孔１が穿設されている。
【００２４】
更には、下段梯子右支柱５Ｒの下部内側と下段梯子左支柱５Ｌの下部内側との間には、中段梯子３の昇降操作を行うための中段操作ロープ１６の端部が固定されている。図中、１７，１８は中段操作ロープ端部を示す。
【００２５】
また、図中１３は、下段梯子左右支柱５Ｌ，５Ｒの下端に設けた滑り止め端具を示し、下段梯子２の傾斜に対応して水平地面に定置可能なように三角ブラケット１３−１の頂部を支柱側板５’に枢支し、三角ブラケット１３−１の下底面には、滑り防止のための波型底板１３−２を設けている。
【００２６】
また、図６Ａ、図６Ｂに示すように下段梯子右支柱５Ｒの下部に配設した下段滑車装着具２５のやや上方位置には、後述する上段梯子操作用の上段梯子ロープ１９を懸架するための下段滑車装着具２８を設け、該装着具２８には、ロープ操作用滑車３２−３を軸架している。
【００２７】
また、下段梯子右支柱５Ｒの上部内側、すなわち、支柱側板５’の内側面には、後述する上段梯子操作用の上段操作ロープ１９を懸架するための下段滑車装着具２９を設け、該装着具２９には、ロープ操作用滑車３２−１０を軸架している。
【００２８】
（２）中段梯子３について
図５Ａ、図５Ｂに示すように、左右に中段梯子支柱６として中段梯子右支柱６Ｒと中段梯子左支柱６Ｌを有し、その間に中段踏桟９を架設している。
【００２９】
中段梯子３の中段梯子左右支柱６Ｌ，６Ｒは、上段梯子左右支柱５Ｌ，５Ｒと同様に断面略コ字状の対向した形状に構成している。
【００３０】
しかも、中段梯子３は、下段梯子２の下段梯子左右支柱５Ｌ，５Ｒ間に入れ子状に遊嵌されており、従って、中段梯子３は下段梯子２の左右支柱間で上下スライド自在に伸縮作動することになる。
【００３１】
更には、下段梯子左右支柱５Ｌ，５Ｒの支柱側板５’は外側方にやや突出形成し、中段梯子左右支柱６Ｌ，６Ｒの支柱側板６’は内側方にやや突出形成しているので、中段梯子３を下段梯子２と入れ子構造で一体化すると、各支柱５，６の各側板５’，６’間に外側ロープ空間ａが形成される。
【００３２】
また、中段梯子左右支柱６Ｌ，６Ｒ下部の間には、断面矩形又はコ字状の滑車取付フレーム１５が架設されており、滑車取付フレーム１５両端部位置の支柱側板６’には、ロープ挿通孔１が穿設されており、滑車取付フレーム１５の左端部には、一個のロープ操作用滑車３２−４が軸架され、滑車取付フレーム１５の右端部には、上下二個のロープ操作用滑車３２−５，６が軸架されている。いづれの滑車も支柱に沿って縦方向に回転すべく配設されている。
【００３３】
また、図６Ａ、図６Ｂに示すように中段梯子３の中段梯子右支柱６Ｒの上部には、中段滑車装着具２７を設けており、この中段滑車装着具２７の構造は、前述した下段滑車装着具２４，２５と同様の装着ブラケット２７’にロープ操作用滑車３２−７を軸架して構成している。
【００３４】
後述するように、中段梯子３の各ロープ操作用滑車３２−４，５，６には、中段操作用ロープ１６が懸架されて、該ロープ１６の操作にともない、中段梯子３の下部を持上げ或いは降下させて中段梯子３の昇降伸縮作動をするように構成されている。
【００３５】
（３）上段梯子４について
図６Ａ、図６Ｂに示すように左右に上段梯子支柱７として上段梯子右支柱７Ｒと上段梯子左支柱７Ｌを有し、その間に上段踏桟１０を架設して梯子機能を果す。
【００３６】
上段梯子４の上段梯子左右支柱７Ｌ，７Ｒは、断面略コ字状の開口部外方を向いた形状としており、中段梯子３の中段左右支柱６Ｌ，６Ｒ間に入れ子状に遊嵌されており、従って、上段梯子４は、中段梯子３の左右支柱間で上下スライド自在に伸縮作動することになる。
【００３７】
かかる入れ子状の遊嵌構造のために、上段梯子左右支柱７Ｌ，７Ｒと中段梯子左右支柱６Ｌ，６Ｒとは、コ字状の開口部が互いに相対しているため、その間に内側ロープ空間ｂを形成する。
【００３８】
また、上段梯子４の下部、すなわち、上段梯子右支柱７Ｒの支柱側板７’下部には、上段操作ロープ１９の一端を固定し、上段梯子右支柱７Ｒの最下段の上段踏桟１０の右端には上段操作ロープ１９の他端を固定している。
【００３９】
（４）中段操作ロープ１６について
前述の図５Ａ、図５Ｂに示す通り、その両端を下段梯子右支柱５Ｒの下部と下段梯子左支柱５Ｌの上部とに固定しており、そのロープ中途部は、下段梯子右支柱５Ｒの上下部と中段梯子３の中段梯子左右支柱６Ｌ，６Ｒの下部にそれぞれ装着した操作ロープ用滑車３２−１，２，３２−４，５，６に懸架されている。
【００４０】
すなわち、中段操作ロープ１６は、下段梯子左支柱５Ｌ上部に固定した中段操作ロープ端部１７から中段梯子左支柱６Ｌ下部の操作ロープ用滑車３２−４までの第１中途ロープ１６ａと、操作ロープ用滑車３２−４から中段梯子右支柱６Ｒの操作ロープ用滑車３２−５までの第２中途ロープ１６ｂと、操作ロープ用滑車３２−５から下段梯子右支柱５Ｒ上部の操作ロープ用滑車３２−１までの第３中途ロープ１６ｃと、操作ロープ用滑車３２−１から下段梯子右支柱５Ｒ下部の操作ロープ用滑車３２−２までの第４中途ロープ１６ｄと、操作ロープ用滑車３２−２から中段梯子右支柱６Ｒ下部の操作ロープ用滑車３２−６までの第５中途ロープ１６ｅと、操作ロープ用滑車３２−６から下段梯子右支柱５Ｒ下部に固定した中段梯子ロープ端部１８までの第６中途ロープ１６ｆとより構成されている。
【００４１】
そして、これらの各中途ロープ１６ａ，ｂ，ｃ，ｄ，ｅ，ｆのうち、第１中途ロープ１６ａ、第３中途ロープ１６ｃ、第５中途ロープ１６ｅ及び第６中途ロープ１６ｆは、下段梯子支柱５や中段梯子支柱６の各支柱側板５’，６’に穿設したロープ挿通孔１を挿通して、中下段梯子左支柱６Ｌ，５Ｌ間、中下段梯子右支柱６Ｒ，５Ｒ間の外側ロープ空間ａに収納されている。
【００４２】
他方、第４中途ロープ１６ｄは、下段梯子右支柱５Ｒの上下部に配設した操作ロープ用滑車３２−１，２間に懸架されて下段梯子２の外側に露出し、作業者が手で把持しながら上下方に引張り操作が可能に構成されている。
【００４３】
すなわち、第４中途ロープ１６ｄを把持して下方に引降すと、第３中途ロープ１６ｃが上方に引張られ、第２中途ロープ１６ｂ，第１中途ロープ１６ａを緊張することになり、必然的に第２中途ロープ１６ｂが懸架されたロープ操作用滑車３２−４，５を介して中段梯子３が上方にスライドし、下段梯子２から伸長した状態となる。
【００４４】
反対に第４中途ロープ１６ｄを弛緩すると、中段梯子３の自重により第１中途ロープ１６ａ及び第３中途ロープ１６ｃが伸長して、同時に第４，第５中途ロープ１６ｅ，ｆが短縮して、中段梯子３は下段梯子２中に入れ子状に収納されて梯子が短縮した形態となる。このような中段操作ロープの構成を図７Ａにおいて模式的に示している。
【００４５】
（５）上段操作ロープ１９について
前述の図６Ａ、図６Ｂに示す通り、その両端を上段梯子右支柱７Ｒと最下段の踏桟１０端部とに固定しており、そのロープ中途部は、中段梯子右支柱６Ｒの上部と、下段梯子右支柱５Ｒの下部と、下段梯子右支柱５Ｒの上部と、中段梯子右支柱６Ｒの下部とにそれぞれ装着した操作ロープ用滑車３２−７，３，１０，８，９に懸架されている。なお、図８Ａ、図８Ｂは、中段操作ロープ１６と上段操作ロープ１９の滑車が密集する中段梯子右支柱６Ｒの下端部を示した図である。
【００４６】
すなわち、上段操作ロープ１９は、上段梯子右支柱７Ｒ下部に固定した上段操作ロープ端部２０から中段梯子右支柱６Ｒ上部の操作ロープ用滑車３２−７までの第１’中途ロープ１９ａと、操作ロープ用滑車３２−７から下段梯子右支柱５Ｒ下部の操作ロープ用滑車３２−３までの第２’，第３’中途ロープ１９ｂ，ｃと、操作ロープ用滑車３２−３から下段梯子右支柱５Ｒ上部内側の操作ロープ用滑車３２−１０までの第４’中途ロープ１９ｄと、操作ロープ用滑車３２−１０から中段梯子右支柱６Ｒ下部の操作ロープ用滑車３２−８，９までの第５’中途ロープ１９ｅと、操作ロープ用滑車３２−８，９から上段梯子の最下段の踏桟端部に固定した上段操作ロープ端部２１までの第６’中途ロープ１９ｆとにより構成されている。
【００４７】
なお、第２’中途ロープ１９ｂと第３’中途ロープ１９ｃとの境には、下段梯子右支柱５Ｒの上部に突設した環状のロープガイド３１が位置しており、上段操作ロープ１９は、ロープガイド３１中を挿通して上下摺動可能に構成されている。
【００４８】
そして、これらの各中途ロープ１９ａ，ｂ，ｃ，ｄ，ｅ，ｆのうち、第１中途ロープ１９ａは、中段梯子右支柱６Ｒと上段梯子右支柱７Ｒとの間の内側ロープ空間ｂに収納されており、第４’中途ロープ１９ｄと第５’中途ロープ１９ｅとは、外側ロープ空間ａに収納されており、各所定の下段滑車装着具２８，２９や中段滑車装着具２７等に設けられたロープ操作用滑車に懸架された上段操作ロープ１９は、支柱の支柱側板５’，６’に穿設したロープ挿通孔１を挿通して内外側ロープ空間ａ，ｂに収納される。
【００４９】
他方、第２’，第３’中途ロープ１９ｂ，ｃは、下段梯子右支柱５Ｒの外側に沿って配置されている。
【００５０】
すなわち、第３’中途ロープ１９ｃは、同じく下段梯子右支柱５Ｒの外側に沿って配置された中段操作ロープ１６の第４中途ロープ１６ｄと並列して配置されており、中段操作ロープ１６と同様に作業者が手で把持しながら上下方に引張り操作が可能に構成されている。
【００５１】
すなわち、第３’中途ロープ１９ｃを把持して下方に引降すと、第１’，２’中途ロープ１９ａ，ｂを緊張することになり、必然的に上段操作ロープ端部２０を介して上段梯子４が上方にスライドし、中段梯子３から更に上方に伸長した状態となる。
【００５２】
反対に、第３’中途ロープ１９ｃを弛緩すると、上段梯子４の自重により第１’中途ロープ１９ａが伸長して、同時に第６’中途ロープ１９ｆが短縮して、上段梯子４は中段梯子３中に入れ子状に収納されて梯子が短縮した形態となる。このような上段操作ロープ１９の構成を図７Ｂにおいて模式的に示している。
【００５３】
なお、中段操作ロープ１６と上段操作ロープ１９をそれぞれ異なる色で構成することもできる。これにより、中段梯子３と上段梯子４の各操作に必要なロープを容易に認識できるため、伸長操作等を間違えることなく直感的に行うことができる。
【００５４】
また、本実施例に係る三連伸縮梯子Ｍの中段・上段操作ロープ１６，１９は、断面略円形状のロープを用いているが、帯状のロープ（ベルト）を用いることもできる。これにより、外側ロープ空間ａや内側ロープ空間ｂを狭くすることができるため、三連伸縮梯子Ｍをよりコンパクトに構成することができる。
【００５５】
（６）各梯子の伸長操作について
この発明の実施例は上記のように構成されており、三連伸縮梯子Ｍを使用するに際して、下段梯子２から中段梯子３を単独で伸長させる操作及び中段梯子３から上段梯子４を単独で伸長させる操作は、それぞれ下段梯子２の外側に沿って配置された中段操作ロープ１６及び上段操作ロープ１９をそれぞれ下方に引張ることにより行われることは、既に前述の通りである。
【００５６】
そこで、中段梯子３と上段梯子４とを連続して三段に伸長する際の連続した操作について説明する。
【００５７】
まず、中段操作ロープ１６を下方に引張ることにより、中段梯子３の下部がロープ操作用滑車３２−４，５を介して第２中段操作ロープ１６ｂにより引き上げられて、下段梯子２の上部に中段梯子３の下部が達した時に伸長作業が終了する。
【００５８】
この状態においては、上段操作ロープ１９のうち第２’中途ロープ１９ｂは伸長して、その分第５’中途ロープ１９ｅは短縮して、上段梯子４の下部は中段梯子３の下部位置に定置され、上段梯子４が中段梯子３中に入れ子状態となっている。
【００５９】
次いで、この中段梯子３が伸長した状態から更にその上方に上段梯子４を伸長する場合は、上段操作ロープ１９の第３’中途ロープ１９ｃを下方に引張ることにより伸長した中段梯子３上部の操作ロープ用滑車３２−７と、上段操作ロープ端部２０との間の第１’中途ロープ１９ａを短縮して、上段梯子４を引き上げることになる。
【００６０】
このように、本発明の特徴とするのは、中段梯子３と上段梯子４との操作用のロープをそれぞれ別体とした中段操作ロープ１６と上段操作ロープ１９とし、それぞれのロープを操作することにより、上中段梯子４，３を三段に伸長することができるようにしたことにある。
【００６１】
（７）他の実施例について
他の実施例に係る三連伸縮梯子Ｍ１としては、中段又は上段操作ロープ１６，１９のいずれかのロープを下段梯子２の左右側面に配置するように構成することができる。
【００６２】
この場合は、下段梯子２の下段梯子支柱５の両外側に上段操作ロープ１９と中段操作ロープ１６とを別体に配置した構造となるように、中下段滑車装着具の配設位置を左右対称位置に変更する。
【００６３】
なお、当然に、上述した実施例と反対側、すなわち、下段梯子２の下段梯子左支柱５Ｌ側に中段又は上段操作ロープ１６，１９を並列して配置することも可能である。
【００６４】
すなわち、図７Ａ、図７Ｂに示す中段及び上段操作ロープ１６，１９の左右の配置を任意に変更できる。
【００６５】
また、中段梯子３や上段梯子４は、必ずしも最大限の伸長状態に操作するだけではなく、別々に中段又は上段操作ロープ１６，１９を操作することにより途中まで伸長して任意の伸長状態において固定することにより、作業現場の高さや状況に応じた三連伸縮操作を行うことができる。
【００６６】
しかも、下段梯子２の外側に露出した上中段操作ロープ以外の各ロープ中途部は、それぞれ入れ子状の上段、中段、下段の梯子４，３，２の各支柱間の空間に収納されており、上中段梯子４，３の伸縮作動に干渉せず、また、作業者の乗降に支障とならないように構成している。
【００６７】
また、他の実施例に係る三連伸縮梯子Ｍ２としては、図７Ａに示すように中段操作ロープ１６を下段梯子２の左右側面のいずれかに配置すると共に、図９に示すように上段操作ロープ１９を踏桟の略中央部に配置するように構成することができる。
【００６８】
上記実施例に係る三連伸縮梯子Ｍ，Ｍ１において上段梯子４の昇降を行うための上段操作ロープ１９は、前述の通り（図７Ｂ）、上段操作ロープ１９の両端をそれぞれ上段梯子右支柱７Ｒに固定し、その中途部を上段操作ロープ中途部１９ａ〜１９ｆとし、該ロープ中途部１９ａ〜１９ｆを懸架するための滑車として、中段梯子右支柱６Ｒや下段梯子右支柱５Ｒに取付けた４箇所の各操作ロープ用滑車３２−７，３２−３，３２−１０，３２−８，３２−９を用いている。
【００６９】
しかし、図９に示すように、他の実施例に係る三連伸縮梯子Ｍ２として上記の４箇所の各操作ロープ用滑車の代わりに中段梯子３と下段梯子４に設けた中段踏桟９と下段踏桟８にロープを懸架し、各踏桟を滑車の代わりとする場合がある。
【００７０】
しかも、各踏桟に懸架するロープは、踏桟の中央部において懸架して折返すようにすることにより、上段操作ロープ中途部１９ａ〜１９ｆが梯子の支柱外側に露見しないようにし、ロープのコンパクトな収納を果すことができるようにしている。
【００７１】
なお、梯子の踏桟を滑車代わりに用いる場合は、中段梯子３と下段梯子２に本来取付ける滑車の位置に対応する踏桟を選択して滑車の代わりに用いることとする。
【００７２】
また、ロープを懸架する踏桟には、予め摩擦抵抗を少なくするため、踏桟に取付けた、あるいは踏桟に吊下した前述の実施例に係る三連伸縮梯子Ｍ，Ｍ１のような滑車を介在させることもできる。
【００７３】
なお、図５Ａに示す１１は中段梯子３の下部に設けた中段梯子係止金具、１２は上段梯子４の下部に設けた上段梯子係止金具を示し、中段梯子３や上段梯子４を伸長した場合に下段梯子２の所定の踏桟８や中段梯子３の所定の踏桟９に係合させて各梯子が降下しないように伸長限界あるいは伸長途中で固定するものであり、係合離脱自在のフック構造としている。
【００７４】
以上説明したように本実施例に係る三連伸縮梯子Ｍ（Ｍ１，Ｍ２）は構成しており、中段梯子３と上段梯子４の伸縮作動を行う中段操作ロープ１６と上段操作ロープ１９の二本のロープをそれぞれ別体に構成し、それぞれ異なる操作ロープ用滑車を介して各梯子にまたがって掛け渡して懸架操作できるように構成したので、中段梯子３や上段梯子４の伸長操作の順番が制限されることなく、また、従来のように一本の操作ロープにより中段及び上段梯子を同時に伸長操作する場合に較べ、操作ロープを無用に長く形成する必要もなく、操作ロープが中途で弛緩することを可及的に防止することができる。
【００７５】
従って、操作ロープが踏桟に絡まるのを防止し、伸長操作時の不用意な絡み事故を防ぎ、また、作業中の作業者の脚に干渉することがないため、ロープが絡んだ作業者の脚が梯子に激突して作業者の転落や伸縮梯子の転倒をまねくなどの事故を未然に防止することができる効果がある。
【００７６】
また、中段梯子昇降用の中段操作ロープ１６は、その両端を下段梯子２の所定位置１７，１８に固定することにより、操作ロープ用滑車等を介して下段梯子２と中段梯子３とに跨って掛け渡すことで、上段梯子４を含む中段梯子３を伸長させる際でも、上段梯子４と中段梯子３の総重量の略半分の力で中段梯子３を操作することができる
【００７７】
また、入れ子構造として梯子支柱間にロープ空間ａ，ｂを形成したので、下段梯子２の外側で操作するために露出した中途ロープを除いてロープ空間に中段及び上段操作ロープの大部分を収納することができることになり、一部弛緩した操作ロープが梯子の伸長操作に支障とならず、また、ロープ空間に収納されて踏桟に絡まらないので円滑な伸長操作を行うことができ、更には、操作ロープが支柱間に吊下状態でぶら下がることがないので、作業者が脚にロープを絡ませて梯子そのものを転倒させる事故を未然に防止することができる効果がある。
【００７８】
また、中段及び上段操作ロープ１６，１９の中途を所定位置に配設した滑車に懸架したために、特にロープの折曲部分が滑車によって円滑に摺動できるため、中段梯子３や上段梯子４の伸長操作が確実に行える効果がある。
【００７９】
更に、上段操作ロープ１９の両端は上段梯子４の下部にそれぞれ固定し、中段操作ロープ１６の両端は下段梯子２の上部と下部にそれぞれ固定したので、各ロープの全長は一定長さに規定保持されるため、その中途における緊張作動によって中段梯子３や上段梯子４の昇降操作を行うことができることになり、無用なロープ弛緩を防止できるため、梯子の伸長操作が確実に行える効果がある。
【符号の説明】
【００８０】
Ｍ  三連伸縮梯子
１  ロープ挿通孔
２  下段梯子
３  中段梯子
４  上段梯子
５  下段梯子支柱
５’  支柱側板
５Ｒ  下段梯子右支柱
５Ｌ  下段梯子左支柱
６  中段梯子支柱
６’  支柱側板
６Ｒ  中段梯子右支柱
６Ｌ  中段梯子左支柱
７  上段梯子支柱
７’  支柱側板
７Ｒ  上段梯子右支柱
７Ｌ  上段梯子左支柱
８  下段踏桟
９  中段踏桟
１０  上段踏桟
１１  中段梯子係止金具
１２  上段梯子係止金具
１３  滑り止め端具
１４  上部端具
１５  滑車取付フレーム
１６  中段操作ロープ
１６ａ〜１６ｆ  中段操作ロープ中途部
１７  中段操作ロープ端部
１８  中段操作ロープ端部
１９  上段操作ロープ
１９ａ〜１９ｆ  上段操作ロープ中途部
２０  上段操作ロープ端部
２１  上段操作ロープ端部
２２，２３，２６，２７  中段滑車装着具
２４，２５，２８，２９  下段滑車装着具
３１  ロープガイド
３２−１，２，３，１０  操作ロープ用滑車
３２−４，５，６，７，８，９  操作ロープ用滑車
ａ  外側ロープ空間
ｂ  内側ロープ空間
Ｔ  装着ブラケット
ｔ  軸
【図１】
2015227553.tif 000003
【図２】
2015227553.tif 000004
【図３】
2015227553.tif 000005
【図４】
2015227553.tif 000006
【図５Ａ】
2015227553.tif 000007
【図５Ｂ】
2015227553.tif 000008
【図６Ａ】
2015227553.tif 000009
【図６Ｂ】
2015227553.tif 000010
【図７Ａ】
2015227553.tif 000011
【図７Ｂ】
2015227553.tif 000012
【図８Ａ】
2015227553.tif 000013
【図８Ｂ】
2015227553.tif 000014
【図９】
2015227553.tif 000015